(57)【要約】【課題】ノイズ環境にあっても携帯機の位置特定精度の低下を抑えることができ、携帯機の位置を高精度に特定することができる車両用通信システムを提供する。【解決手段】車両用通信システムは、車両に設けられた複数のアンテナから信号を送信する車載機１と、携帯機２とを備える。携帯機２は周囲のノイズレベルを検出し、その検出結果を送信する。車載機１は、ノイズレベル小の場合、携帯機２における受信信号強度を測定させるための第１信号を送信し、ノイズレベル大の場合、携帯機２の受信の成否を判定させるための第２信号を送信する。携帯機２は、第１信号の受信信号強度を測定し、応答信号を送信する。また、携帯機２は、第２信号の受信の成否を判定し、応答信号を送信する。車載機１は、応答信号を受信し、ノイズレベル小の場合、受信信号強度に基づいて携帯機２の位置を特定し、ノイズレベル大の場合、受信成否に基づいて携帯機２の位置を特定する。【選択図】図１
2017135560.tif 000002
【特許請求の範囲】
【請求項１】
車両に設けられた複数のアンテナから信号を送信する車載機と、該車載機から送信された信号を受信し、受信した信号に応じた応答信号を送信する携帯機とを備え、前記車載機は前記携帯機から送信された前記応答信号を受信する車両用通信システムであって、
前記車載機は、
前記携帯機が受信した信号の受信信号強度を測定させるための第１信号又は前記携帯機における受信の成否を判定させるための第２信号を送信する車載送信部を備え、
前記携帯機は、
前記第１信号及び第２信号を受信する携帯側受信部と、
前記第１信号の受信信号強度を測定する受信信号強度測定部と、
前記第２信号の受信の成否を判定する成否判定部と、
前記第１信号及び第２信号が送信されていない期間に前記携帯側受信部が受信する信号に係るノイズレベルを検出するノイズレベル検出部と、
前記受信信号強度測定部によって測定された受信信号強度又は前記成否判定部にて判定された受信の成否を示した前記応答信号、及び前記ノイズレベル検出部によるノイズレベルの検出結果を含む検出結果信号を送信する携帯側送信部と
を備え、
前記車載機は、
前記応答信号及び検出結果信号を受信する車載受信部と、
ノイズレベルが小さい場合、前記第１信号の受信信号強度に基づいて、前記携帯機の位置を特定し、ノイズレベルが高い場合、前記第２信号の受信の成否に基づいて、前記携帯機の位置を特定する位置特定部と
を備える車両用通信システム。
【請求項２】
前記携帯側送信部は、
前記第１信号及び前記第２信号を受信する前に、前記検出結果信号を前記車載機へ送信するようにしてあり、
前記車載送信部は、
ノイズレベルが小さい場合、前記第１信号を送信し、前記ノイズレベルが大きい場合、第２信号を送信する
請求項１に記載の車両用通信システム。
【請求項３】
前記車載送信部は、
前記携帯機を起動させるための起動信号を送信した後、所定期間、前記第１信号及び第２信号を送信しないようにしてあり、
前記携帯機は、
前記起動信号を受信した場合に起動し、前記ノイズレベル検出部は、前記起動信号を受信した後、前記所定期間におけるノイズレベルを検出する
請求項１又は請求項２に記載の車両用通信システム。
【請求項４】
前記第１信号の強度は、前記第２信号の強度よりも大きい
請求項１〜請求項３までのいずれか一項に記載の車両用通信システム。
【請求項５】
前記第１信号を送信する前記アンテナ及び前記第２信号を送信する前記アンテナは異なる
請求項１〜請求項４までのいずれか一項に記載の車両用通信システム。
【請求項６】
車両に設けられた複数のアンテナから信号を送信し、該信号に応じて携帯機から送信された応答信号を受信する車載機であって、
前記携帯機が受信した信号の受信信号強度を測定させるための第１信号又は前記携帯機における受信の成否を判定させるための第２信号を送信する車載送信部と、
前記携帯機によって測定された前記第１信号の受信信号強度又は前記第２信号の受信の成否を示した前記応答信号、並びに前記第１信号及び第２信号が送信されていない期間に前記携帯機が受信する信号に係るノイズレベルを検出して得た検出結果を含む検出結果信号を受信する車載受信部と、
ノイズレベルが小さい場合、前記第１信号の受信信号強度に基づいて、前記携帯機の位置を特定し、ノイズレベルが高い場合、前記第２信号の受信の成否に基づいて、前記携帯機の位置を特定する位置特定部と
を備える車載機。
【請求項７】
車両から送信される信号を受信し、受信した信号に応じた応答信号を送信する携帯機であって、
受信信号強度測定用の第１信号又は受信成否判定用の第２信号を受信する携帯側受信部と、
前記第１信号の受信信号強度を測定する受信信号強度測定部と、
前記第２信号の受信の成否を判定する成否判定部と、
前記第１信号及び第２信号が送信されていない期間に前記携帯側受信部が受信する信号に係るノイズレベルを検出するノイズレベル検出部と、
前記受信信号強度測定部によって測定された受信信号強度又は前記成否判定部にて判定された受信の成否を示した前記応答信号、並びに前記ノイズレベル検出部によるノイズレベルの検出結果を含む検出結果信号を送信する携帯側送信部と
を備える携帯機。
【発明の詳細な説明】
【技術分野】
【０００１】
本発明は、携帯機の位置を検出する車両用通信システム、車載機及び携帯機に関する。
【背景技術】
【０００２】
メカニカルキーを用いずに車両ドアの施錠及び解錠を行う車両用通信システムが実用化されている。具体的には、使用者が所持する携帯機を用いた無線遠隔操作により車両ドアの施錠又は解錠を行うキーレスエントリシステム、携帯機を所持した使用者が車両に近づき、又はドアハンドルを握るだけで車両ドアの解錠を行うスマートエントリー（登録商標）システム等が実用化されている。
また、メカニカルキーを用いずに車両のエンジン始動を行う車両用通信システムも実用化されている。具体的には、携帯機を所持した使用者がエンジンスタートスイッチを押すだけでエンジンの始動を行うスマートスタート（登録商標）システムが実用化されている。
以上の通信システムにおいて車載機は、携帯機と無線通信を行い、認証を行った後に解錠、施錠、エンジン始動等の所定の動作に関する制御を行うが、不正な操作を防止するため、当該動作実施前に携帯機が所定の位置に存在するか確認を行う。
【０００３】
特許文献１には、車両に設けられた複数のアンテナから送信される信号を携帯機が受信し、車載機は、携帯機が受信した各信号の受信信号強度に基づいて携帯機の位置を特定するキーレスエントリシステムが開示されている。特に特許文献１においては、携帯機がノイズ環境にあるか否かを判定し、その判定結果に応じて携帯機の位置判定アルゴリズムを変更する技術が開示されている。
【先行技術文献】
【特許文献】
【０００４】
【特許文献１】特開２０１３−１９４４３９号公報
【発明の概要】
【発明が解決しようとする課題】
【０００５】
しかしながら、特許文献１のキーレスエントリシステムにおいては、アルゴリズムを変更する構成であるが、受信信号強度を用いた判定であることには変わりが無く、携帯機の位置を誤判定する可能性がある。また、車外にある携帯機を、車内にあると誤判定することを防止する技術が開示されているが、車内にある携帯機を、車外にあると誤判定することを防止する技術は開示されてない。
【０００６】
本願の目的は、ノイズ環境にあっても携帯機の位置特定精度の低下を抑えることができ、携帯機の位置を高精度に特定することができる車両用通信システム、車載機及び携帯機を提供することにある。
【課題を解決するための手段】
【０００７】
本態様に係る車両用通信システムは、車両に設けられた複数のアンテナから信号を送信する車載機と、該車載機から送信された信号を受信し、受信した信号に応じた応答信号を送信する携帯機とを備え、前記車載機は前記携帯機から送信された前記応答信号を受信する車両用通信システムであって、前記車載機は、前記携帯機が受信した信号の受信信号強度を測定させるための第１信号又は前記携帯機における受信の成否を判定させるための第２信号を送信する車載送信部を備え、前記携帯機は、前記第１信号及び第２信号を受信する携帯側受信部と、前記第１信号の受信信号強度を測定する受信信号強度測定部と、前記第２信号の受信の成否を判定する成否判定部と、前記第１信号及び第２信号が送信されていない期間に前記携帯側受信部が受信する信号に係るノイズレベルを検出するノイズレベル検出部と、前記受信信号強度測定部によって測定された受信信号強度又は前記成否判定部にて判定された受信の成否を示した前記応答信号、及び前記ノイズレベル検出部によるノイズレベルの検出結果を含む検出結果信号を送信する携帯側送信部とを備え、前記車載機は、前記応答信号及び検出結果信号を受信する車載受信部と、ノイズレベルが小さい場合、前記第１信号の受信信号強度に基づいて、前記携帯機の位置を特定し、ノイズレベルが高い場合、前記第２信号の受信の成否に基づいて、前記携帯機の位置を特定する位置特定部とを備える。
【０００８】
本態様に係る車載機は、車両に設けられた複数のアンテナから信号を送信し、該信号に応じて携帯機から送信された応答信号を受信する車載機であって、前記携帯機が受信した信号の受信信号強度を測定させるための第１信号又は前記携帯機における受信の成否を判定させるための第２信号を送信する車載送信部と、前記携帯機によって測定された前記第１信号の受信信号強度又は前記第２信号の受信の成否を示した前記応答信号、並びに前記第１信号及び第２信号が送信されていない期間に前記携帯機が受信する信号に係るノイズレベルを検出して得た検出結果を含む検出結果信号を受信する車載受信部と、ノイズレベルが小さい場合、前記第１信号の受信信号強度に基づいて、前記携帯機の位置を特定し、ノイズレベルが高い場合、前記第２信号の受信の成否に基づいて、前記携帯機の位置を特定する位置特定部とを備える。
【０００９】
本態様に係る携帯機は、車両から送信される信号を受信し、受信した信号に応じた応答信号を送信する携帯機であって、受信信号強度測定用の第１信号又は受信成否判定用の第２信号を受信する携帯側受信部と、前記第１信号の受信信号強度を測定する受信信号強度測定部と、前記第２信号の受信の成否を判定する成否判定部と、前記第１信号及び第２信号が送信されていない期間に前記携帯側受信部が受信する信号に係るノイズレベルを検出するノイズレベル検出部と、前記受信信号強度測定部によって測定された受信信号強度又は前記成否判定部にて判定された受信の成否を示した前記応答信号、並びに前記ノイズレベル検出部によるノイズレベルの検出結果を含む検出結果信号を送信する携帯側送信部とを備える。
【発明の効果】
【００１０】
上記によれば、ノイズ環境にあっても携帯機の位置特定精度の低下を抑えることができ、携帯機の位置を高精度に特定することができる車両用通信システム及び車載機を提供することができる。
【図面の簡単な説明】
【００１１】
【図１】実施形態に係る車両用通信システムの一構成例を示すブロック図である。
【図２】車載機の一構成例を示すブロック図である。
【図３】携帯機の一構成例を示すブロック図である。
【図４】携帯機の位置検出に係る処理手順を示すフローチャートである。
【図５】携帯機の位置検出に係る処理手順を示すフローチャートである。
【図６】エンジンスタートスイッチ操作時において、受信信号強度を測定させるための第１信号の送信タイミング及びノイズレベル検出期間を示すタイミングチャートである。
【図７】エンジンスタートスイッチ操作時において、受信信号強度を測定させるための第１信号を示す概念図である。
【図８】エンジンスタートスイッチ操作時において、受信の成否を判定させるための第２信号の送信タイミング及びノイズレベル検出期間を示すタイミングチャートである。
【図９】エンジンスタートスイッチ操作時において、受信の成否を判定させるための第２信号を示す概念図である。
【図１０】ドアスイッチ操作時において、受信信号強度を測定させるための第１信号を示す概念図である。
【図１１】ドアスイッチ操作時において、受信の成否を判定させるための第２信号の送信タイミング及びノイズレベル検出期間を示すタイミングチャートである。
【図１２】ドアスイッチ操作時において、受信の成否を判定させるための第２信号を示す概念図である。
【発明を実施するための形態】
【００１２】
［本発明の実施形態の説明］
最初に本発明の実施態様を列記して説明する。また、以下に記載する実施形態の少なくとも一部を任意に組み合わせてもよい。
【００１３】
（１）本態様に係る車両用通信システムは、車両に設けられた複数のアンテナから信号を送信する車載機と、該車載機から送信された信号を受信し、受信した信号に応じた応答信号を送信する携帯機とを備え、前記車載機は前記携帯機から送信された前記応答信号を受信する車両用通信システムであって、前記車載機は、前記携帯機が受信した信号の受信信号強度を測定させるための第１信号又は前記携帯機における受信の成否を判定させるための第２信号を送信する車載送信部を備え、前記携帯機は、前記第１信号及び第２信号を受信する携帯側受信部と、前記第１信号の受信信号強度を測定する受信信号強度測定部と、前記第２信号の受信の成否を判定する成否判定部と、前記第１信号及び第２信号が送信されていない期間に前記携帯側受信部が受信する信号に係るノイズレベルを検出するノイズレベル検出部と、前記受信信号強度測定部によって測定された受信信号強度又は前記成否判定部にて判定された受信の成否を示した前記応答信号、及び前記ノイズレベル検出部によるノイズレベルの検出結果を含む検出結果信号を送信する携帯側送信部とを備え、前記車載機は、前記応答信号及び検出結果信号を受信する車載受信部と、ノイズレベルが小さい場合、前記第１信号の受信信号強度に基づいて、前記携帯機の位置を特定し、ノイズレベルが高い場合、前記第２信号の受信の成否に基づいて、前記携帯機の位置を特定する位置特定部とを備える。
【００１４】
本態様によれば、車載機は携帯機の位置を特定するための信号として、第１信号又は第２信号を車載送信部にて送信する。第１信号は、携帯機における第１信号の受信信号強度を測定させるための信号である。第２信号は、携帯機における第２信号の受信の成否を判定させるための信号である。車載送信部は、第１信号及び第２信号の双方を送信しても良いし、第１信号及び第２信号の一方を選択的に送信しても良い。なお、第１信号及び第２信号の双方を送信する場合、その送信順序は特に限定されるものでは無い。また、第１信号及び第２信号は、各信号の目的を達成することが可能であれば同一の信号であっても良い。
携帯機は、車載機から送信された第１信号及び第２信号を受信する携帯側受信部を備えており、携帯機は第１信号の受信信号強度を測定する。また、携帯機は、車載機から送信された第２信号の受信の成否を判定する。更に、携帯機は、車載機が第１信号及び第２信号を送信していない期間に、携帯側受信部が受信する信号に係るノイズレベルをノイズレベル検出部にて検出する。そして、携帯機は、受信信号強度又は受信の成否を示す応答信号と、ノイズレベルの検出結果を含む検出結果信号を車載機へ送信する。ここで応答信号は、携帯機が第１信号のみを受信しているときは、受信信号強度を示す信号であり、携帯機が第２信号のみを受信しているときは、受信の成否を示す信号である。また、応答信号は、携帯機が第１信号及び第２信号の双方を受信している場合、受信信号強度及び受信の成否の双方を示す信号である。ノイズレベルは、車載機から送信される第１信号及び第２信号以外の他の信号であって、各信号のノイズとなる信号の強度レベルである。ノイズレベルは、携帯機の位置特定方法を選択する指標になる情報である。なお、携帯機が、応答信号及び検出結果信号を送信する順序は特に限定されるものでは無く、応答信号及び検出結果信号を一体の信号として送信しても良い。
車載機は、携帯機から送信された応答信号及び検出結果信号を受信し、位置特定部は、検出結果信号が示すノイズレベルが小さい場合、第１信号の受信信号強度に基づいて、携帯機の位置を特定し、ノイズレベルが大きい場合、第２信号の受信の成否に基づいて、携帯機の位置を特定する。第１信号の受信信号強度に基づく位置特定精度は、第２信号の受信の成否に基づく位置特定精度に比べて高いため、ノイズレベルが小さな環境においては、車載機は、携帯機の位置を高精度で特定することができる。
他方、ノイズレベルが大きな環境においては、第２信号の受信の成否に基づく位置特定精度の方が第１信号の受信信号強度に基づく位置特定精度よりも高い傾向にある。そこで、車載機は、ノイズレベルが大きい場合、第２信号の受信の成否に基づいて携帯機の位置特定を行うことによって、位置特定精度の低下を抑えることができる。
【００１５】
（２）前記携帯側送信部は、前記第１信号及び前記第２信号を受信する前に、前記検出結果信号を前記車載機へ送信するようにしてあり、前記車載送信部は、ノイズレベルが小さい場合、前記第１信号を送信し、前記ノイズレベルが大きい場合、第２信号を送信する構成が好ましい。
【００１６】
本態様によれば、携帯機は、車載機が第１信号及び第２信号を送信する前段階で、ノイズレベルの検出を行い、ノイズレベルに係る検出結果信号を車載機へ送信する。車載機は、ノイズレベルが小さい場合、第１信号を送信し、ノイズレベルが大きい場合、第２信号を送信する。車載機及び携帯機は、ノイズレベルに応じた適切な信号を送受信し、不要な信号を送受信しない構成であるため、車載機は携帯機の位置を速やかに特定することができる。また、無駄な電力消費を抑えることができる。
【００１７】
（３）前記車載送信部は、前記携帯機を起動させるための起動信号を送信した後、所定期間、前記第１信号及び第２信号を送信しないようにしてあり、前記携帯機は、前記起動信号を受信した場合に起動し、前記ノイズレベル検出部は、前記起動信号を受信した後、前記所定期間におけるノイズレベルを検出する構成が好ましい。
【００１８】
本態様によれば、携帯機は、車載機から送信された起動信号によって起動し、起動後の所定期間において、ノイズレベルを検出する。車載機は、前記所定期間において、第１信号及び第２信号を送信しない。従って、携帯機は、ノイズレベルの検出タイミングを誤るおそれが無く、起動後、速やかにノイズレベルを検出することができる。
【００１９】
（４）前記第１信号の強度は、前記第２信号の強度よりも大きい構成が好ましい。
【００２０】
本態様によれば、車載機は、車両に設けられた複数のアンテナから送信される第１信号の受信信号強度を携帯機が測定できるよう、大きな信号強度の第１信号を送信する。他方、車載機は、車両に設けられたアンテナから送信される第２信号を携帯機が受信できる通信範囲内に、携帯機が存在するか否かを判定することにより、携帯機の位置を特定する。このため、車載機は、当該通信範囲に応じた信号強度に抑えた第２信号を携帯機へ送信する。
【００２１】
（５）前記第１信号を送信する前記アンテナ及び前記第２信号を送信する前記アンテナは異なる構成が好ましい。
【００２２】
本態様によれば、車載機は、受信信号強度を用いて携帯機の位置を特定するために、複数のアンテナから第１信号を送信する。他方、車載機は、第２信号を携帯機が受信できる通信範囲内に、携帯機が存在するか否かを判定するために、当該通信範囲内に対応する一又は複数のアンテナから第２信号を送信する。このように、車載機は、携帯機の位置特定方法に応じて、第１信号及び第２信号を送信するアンテナを適宜切り替えることができる。
【００２３】
（６）本態様に係る車載機は、車両に設けられた複数のアンテナから信号を送信し、該信号に応じて携帯機から送信された応答信号を受信する車載機であって、前記携帯機が受信した信号の受信信号強度を測定させるための第１信号又は前記携帯機における受信の成否を判定させるための第２信号を送信する車載送信部と、前記携帯機によって測定された前記第１信号の受信信号強度又は前記第２信号の受信の成否を示した前記応答信号、並びに前記第１信号及び第２信号が送信されていない期間に前記携帯機が受信する信号に係るノイズレベルを検出して得た検出結果を含む検出結果信号を受信する車載受信部と、ノイズレベルが小さい場合、前記第１信号の受信信号強度に基づいて、前記携帯機の位置を特定し、ノイズレベルが高い場合、前記第２信号の受信の成否に基づいて、前記携帯機の位置を特定する位置特定部とを備える。
【００２４】
本態様に係る車載機によれば、態様（１）のように、ノイズ環境にあっても携帯機の位置特定精度の低下を抑えることができ、携帯機の位置を高精度に特定することができる車両用通信システムを構成することができる。
【００２５】
（７）本態様に係る携帯機は、車両から送信される信号を受信し、受信した信号に応じた応答信号を送信する携帯機であって、受信信号強度測定用の第１信号又は受信成否判定用の第２信号を受信する携帯側受信部と、前記第１信号の受信信号強度を測定する受信信号強度測定部と、前記第２信号の受信の成否を判定する成否判定部と、前記第１信号及び第２信号が送信されていない期間に前記携帯側受信部が受信する信号に係るノイズレベルを検出するノイズレベル検出部と、前記受信信号強度測定部によって測定された受信信号強度又は前記成否判定部にて判定された受信の成否を示した前記応答信号、並びに前記ノイズレベル検出部によるノイズレベルの検出結果を含む検出結果信号を送信する携帯側送信部とを備える。
【００２６】
本態様に係る携帯機によれば、態様（１）のように、ノイズ環境にあっても携帯機の位置特定精度の低下を抑えることができ、携帯機の位置を高精度に特定することができる車両用通信システムを構成することができる。
【００２７】
［本発明の実施形態の詳細］
本発明の実施形態に係る車両用通信システムの具体例を、以下に図面を参照しつつ説明する。なお、本発明はこれらの例示に限定されるものではなく、特許請求の範囲によって示され、特許請求の範囲と均等の意味及び範囲内でのすべての変更が含まれることが意図される。
【００２８】
図１は、実施形態に係る車両用通信システムの一構成例を示すブロック図である。本実施形態に係る車両用通信システムは、車両Ｃに設けられた複数のＬＦ送信アンテナ３及びＲＦ受信アンテナ４を用いて各種信号を送受信する車載機１と、該車載機１との間で該信号を送受信する携帯機２とを備える。使用者によるエンジン始動操作、ドアスイッチ操作があった場合、車載機１は、携帯機２との間で無線通信を行うことによって、認証を行い、当該携帯機２が特定の位置に存在することを確認した上で、エンジン始動、ドアの施錠及び解錠等の所定の制御を行う。
複数のＬＦ送信アンテナ３は、例えば、車両Ｃの前部に配された第１ＬＦ送信アンテナ３１、車両Ｃの後部に配された第２ＬＦ送信アンテナ３２、運転席側のピラーに配された第３ＬＦ送信アンテナ３３、助手席側のピラーに配された第４ＬＦ送信アンテナ３４、車両Ｃのバックドアに配された第５ＬＦ送信アンテナ３５等である。各ＬＦ送信アンテナ３はＬＦ帯の電波を用いて信号を送信する。
【００２９】
図２は、車載機１の一構成例を示すブロック図である。車載機１は、該車載機１の各構成部の動作を制御する車載制御部１１を備える。車載制御部１１は、例えば一又は複数のＣＰＵ（Central Processing Unit）、マルチコアＣＰＵ等を有するマイコンである。車載制御部１１には、車載受信部１２、車載送信部１３、車載記憶部１４及び出力部１５が設けられている。
【００３０】
車載制御部１１は、車載記憶部１４に記憶されている後述の制御プログラムを実行することにより、各構成部の動作を制御し、携帯機２の位置を特定し、エンジン始動、ドアの施錠及び解錠等を指示する。
【００３１】
車載記憶部１４は、ＥＥＰＲＯＭ（Electrically Erasable Programmable ROM）、フラッシュメモリ等の不揮発性メモリである。車載記憶部１４は、車載制御部１１が車載機１の各構成部の動作を制御することにより、携帯機２の位置を特定し、エンジン始動、ドアの施錠及び解錠等を指示するための制御プログラムを記憶している。
【００３２】
車載受信部１２はＲＦ受信アンテナ４に接続されており、携帯機２からＵＨＦ帯の電波を用いて送信された各種応答信号を受信し、車載制御部１１へ出力する。ＵＨＦ帯の電波で通信可能な領域は広いため、車両ＣにおけるＲＦ受信アンテナ４の配置は特に限定されない。
【００３３】
車載送信部１３は複数のＬＦ送信アンテナ３に接続されており、車載制御部１１の制御に従って、携帯機２の位置を特定するための信号を送信する。例えば、車載送信部１３は、車載制御部１１の制御に従って、携帯機２を起動させるための起動信号をＬＦ送信アンテナ３から送信する。また、車載送信部１３は、車載制御部１１の制御に従って、携帯機２の位置を検出するための第１信号又は第２信号を送信する。車載送信部１３は、送信する信号の強度を変更する信号強度変更部１３ａを備える。
第１信号は、携帯機２における当該第１信号の受信信号強度に基づいて、当該携帯機２の位置を特定するための信号である。第１信号は例えば変調されていない搬送波であり、第１信号は、第１乃至第５ＬＦ送信アンテナ３１、３２、３３、３４、３５から送信される。各ＬＦ送信アンテナ３から送信される第１信号の強度は、携帯機２が少なくとも２つ以上のＬＦ送信アンテナ３からの信号を受信できるように設定されている。本実施形態では、第１信号の強度は、各ＬＦ送信アンテナ３から送信可能な最大強度の信号であるものとする。第１信号の強度は、信号強度変更部１３ａによって調整される。
第２信号は、携帯機２における当該第２信号の受信の成否に基づいて、当該携帯機２の位置を特定するための信号である。第２信号は例えば変調された搬送波であり、第２信号は用途に応じた特定のＬＦ送信アンテナ３から送信される。具体的には、エンジン始動を行う場合、車載機１は、主に車内に信号を送信する第１及び第２ＬＦ送信アンテナ３１、３２から第２信号を送信する。第１及び第２ＬＦ送信アンテナ３１、３２から送信される第２信号の信号強度は、携帯機２が第２信号を受信できる範囲が、車内空間に対応するような強度であり、一般的には第１信号よりも低い強度の信号である。また車載機１は、ドアの施錠及び解錠を行う場合、主に車外に信号を送信する第３乃至第５ＬＦ送信アンテナ３３、３４、３５から第２信号を送信する。第３乃至第５ＬＦ送信アンテナ３３、３４、３５から送信される第２信号の信号強度は、携帯機２が第２信号を受信できる範囲が車外の一定範囲内になるような強度であり、一般的には第１信号よりも低い強度の信号である。第２信号の強度は、信号強度変更部１３ａによって調整される。
【００３４】
出力部１５にはドアＥＣＵ７が接続されており、出力部１５は、車載制御部１１の制御に従って、ドアの施錠又は解錠を指示する施解錠信号をドアＥＣＵ７へ出力する。ドアＥＣＵ７には、ドアの図示しない施解錠機構を動作させるアクチュエータに接続されており、車載機１の出力部１５から出力された施解錠信号に従って、当該アクチュエータを駆動させ、ドアを施錠又は解錠させる。
また、出力部１５にはエンジンＥＣＵ８が接続されており、出力部１５は、車載制御部１１の制御に従って、エンジンの始動を指示するエンジン始動信号をエンジンＥＣＵ８へ出力する。エンジンＥＣＵ８は、車載機１の出力部１５から出力されたエンジン始動信号に従って、エンジンを始動させる。
【００３５】
車載制御部１１には、エンジンスタートスイッチ５及びドアスイッチ６が接続されており、該エンジンスタートスイッチ５及びドアスイッチ６に対応した施解錠操作信号及び始動操作信号が車載制御部１１に入力する。車載制御部１１は施解錠操作信号に基づいて、ドアスイッチ６の操作状態を認識することができる。車載制御部１１は、ドアスイッチ６が操作された場合、携帯機２が車外にあることを確認し、施解錠信号を、出力部１５を介してドアＥＣＵ７へ出力し、ドアを施錠又は解錠させる。
また、車載制御部１１は、始動操作信号に基づいて、エンジンスタートスイッチ５の操作状態を認識することができる。車載制御部１１は、エンジンスタートスイッチ５が操作された場合、携帯機２が車内にあることを確認し、エンジン始動信号を、出力部１５を介してエンジンＥＣＵ８へ出力し、エンジンを始動させる。
【００３６】
図３は、携帯機２の一構成例を示すブロック図である。携帯機２は、該携帯機２の各構成部の動作を制御する携帯側制御部２１を備える。携帯側制御部２１は、例えば一又は複数のＣＰＵ、マルチコアＣＰＵ等を有するマイコンである。携帯側制御部２１には、携帯側受信部２２、携帯側送信部２３、携帯側記憶部２４、受信信号強度測定部２５及びノイズレベル検出部２６が設けられている。
【００３７】
携帯側制御部２１は、携帯側記憶部２４に記憶されている後述の制御プログラムを読み出し、各構成部の動作を制御することにより、各構成部の動作を制御し、車載機１に対する携帯機２の位置特定に必要な情報を車載機１へ送信する処理を実行する。
【００３８】
携帯側記憶部２４は、車載記憶部１４と同様の不揮発性メモリである。携帯側記憶部２４は、携帯側制御部２１が携帯機２の各構成部の動作を制御することにより、携帯機２の位置特定に必要な情報を含む応答信号等を車載機１へ送信する処理を実行するための制御プログラムを記憶している。
【００３９】
携帯側受信部２２はＬＦ受信アンテナ２２ａに接続されており、車載機１からＬＦ帯の電波を用いて送信された起動信号、第１信号及び第２信号等の各種信号を受信し、携帯側制御部２１へ出力する。ＬＦ受信アンテナ２２ａは例えば３軸アンテナであり、車両Ｃに対する携帯機２の向き又は姿勢に拘わらず、一定の受信信号強度が得られる。
【００４０】
受信信号強度測定部２５は、複数のＬＦ送信アンテナ３から送信され、ＬＦ受信アンテナ２２ａが受信した第１信号の受信信号強度を検出し、検出した受信信号強度を携帯側制御部２１へ出力する回路である。
【００４１】
ノイズレベル検出部２６は、ＬＦ受信アンテナ２２ａが受信するノイズ信号のノイズレベルを検出し、検出したノイズレベルを携帯側制御部２１へ出力する回路である。ノイズレベルは、ＬＦ受信アンテナ２２ａが受信する第１信号及び第２信号以外のノイズ信号の強度である。なお、受信信号強度測定部２５をノイズレベル検出部２６として利用しても良い。
【００４２】
携帯側送信部２３はＲＦ送信アンテナ２３ａに接続されており、携帯側制御部２１の制御に従って、携帯機２から送信された信号に応じた信号を送信する。第１信号又は第２信号を携帯機２が受信した場合、携帯側制御部２１の制御に従って携帯側送信部２３は、車載機１に対する携帯機２の位置特定に必要な情報として、受信信号強度測定部２５が測定した第１信号の受信信号強度を含む応答信号、又は携帯側受信部２２による第２信号の受信の成否を示した応答信号を送信する。また、携帯側送信部２３は、ノイズレベル検出部２６にて検出したノイズレベルを示した検出結果信号を送信する。携帯側送信部２３はＵＨＦ帯の電波を用いて応答信号を送信する。なおＵＨＦ帯は信号を送信する電波帯域の一例であり、必ずしもこれに限定されない。
【００４３】
＜エンジン始動処理＞
図４及び図５は、携帯機２の位置検出に係る処理手順を示すフローチャートである。車載制御部１１は、エンジンスタートスイッチ５の操作をトリガとして以下の処理を実行する。エンジンスタートスイッチ５の操作を検出した車載制御部１１は、携帯機２を起動させるための起動信号を、車載送信部１３にて第１ＬＦ送信アンテナ３１から送信させる（ステップＳ１１）。第１ＬＦ送信アンテナ３１から送信される起動信号は、主に車内前部に送信される。
【００４４】
携帯機２は、車載機１から送信された起動信号を携帯側受信部２２にて受信し（ステップＳ１２）、起動信号を受信した携帯側制御部２１は起動する（ステップＳ１３）。詳細は省略するが、携帯機２の起動時に車載機１及び携帯機２は認証処理を実行している。起動信号を送信後、認証処理を終えた車載制御部１１は、計時を開始し、所定期間、第１信号及び第２信号、その他一切の信号を送信しない状態になる。携帯側制御部２１は、起動及び認証処理後、計時を開始し、当該所定期間において、ノイズレベル検出部２６にてＬＦ受信アンテナ２２ａが受信する信号の強度、即ちノイズレベルを検出する（ステップＳ１４）。なお、所定期間の計時は必須では無く、単純に起動及び認証処理後、携帯機２がノイズレベルを検出する構成でも良い。
そして、携帯側制御部２１は、検出したノイズレベルの信号に基づいて、ノイズレベルの大小を判定する（ステップＳ１５）。ノイズレベルの大小を判定するための閾値の大きさは特に限定されるものでは無いが、例えば、第１信号の受信信号強度に基づく携帯機２の位置特定精度と、第２信号の受信の成否に基づく携帯機２の位置特定精度とが逆転するときの、ノイズ信号の強度を閾値として設定すれば良い。
【００４５】
次いで、携帯側制御部２１は、ノイズレベルの検出結果を含む検出結果信号を、携帯側送信部２３にて送信する（ステップＳ１６）。検出結果信号は、ノイズレベルそのものを示すものであっても良いし、ステップＳ１５にて判定されたノイズレベルの判定結果を示すものであっても良い。なお、ステップＳ１６の処理を実行する携帯側制御部２１は、第２信号の受信の成否を判定する成否判定部として機能する。
【００４６】
車載制御部１１は、携帯機２から送信された検出結果信号を、車載受信部１２にて受信する（ステップＳ１７）。そして、車載制御部１１は、検出結果信号に基づいて、ノイズレベルが小さいか否かを判定する（ステップＳ１８）。つまり、車載制御部１１は、車両周辺のノイズ信号の強度が小さいか否かを判定する。ノイズレベルが小さいと判定した場合（ステップＳ１８：ＹＥＳ）、車載制御部１１は、信号強度変更部１３ａにて送信する信号の強度を最大に設定し、受信信号強度測定用の第１信号を、車載送信部１３にて各ＬＦ送信アンテナ３から送信させる（ステップＳ１９）。携帯側制御部２１は、各ＬＦ送信アンテナ３から送信された第１信号の受信信号強度を、受信信号強度測定部２５にて測定する（ステップＳ２０）。次いで、携帯側制御部２１は、各ＬＦ送信アンテナ３から送信された第１信号の受信信号強度それぞれを示した応答信号を、携帯側送信部２３にて車載機１へ送信する（ステップＳ２１）。
【００４７】
車載制御部１１は、携帯機２から送信された応答信号を、車載受信部１２にて受信する（ステップＳ２２）。そして、車載制御部１１は、応答信号に含まれる受信信号強度に基づいて、携帯機２の位置を特定する（ステップＳ２３）。
【００４８】
具体的には、車載制御部１１は、受信した応答信号に含まれる受信信号強度に基づいて、応答信号の送信元である携帯機２と、車内及び車外との統計距離を算出する。
応答信号に含まれる受信信号強度はベクトルである。該ベクトルの成分は、各ＬＦ送信アンテナ３から送信される複数の第１信号それぞれの受信信号強度である。本実施形態においては、５本のＬＦ送信アンテナ３から送信される複数の第１信号それぞれに対応する受信信号強度を成分として有するため、上記のベクトルは５次元である。車載機１の車載記憶部１４は、例えば、車内の複数箇所で携帯機２が検出した受信信号強度のサンプル群に基づいて求められる受信信号強度の平均ベクトル、分散行列又は逆分散行列等の統計値を記憶している。車載制御部１１は、車内にある携帯機２が検出する受信信号強度のサンプル群と、ステップＳ２２で受信した応答信号に含まれる受信信号強度のベクトルとの統計距離を算出する。言い換えると、ステップＳ２２で受信した応答信号に含まれる受信信号強度と、車内に配置した携帯機２が検出する受信信号強度との類似度に対応する値を算出する。統計距離は、例えばマハラノビス距離であるが、特に限定されるものでは無い。
同様にして車載機１の車載記憶部１４は、車外の複数箇所で携帯機２が検出した受信信号強度のサンプル群に基づいて求められる受信信号強度の平均ベクトル、分散行列又は逆分散行列等の統計値を記憶している。車載制御部１１は、車外にある携帯機２が検出する受信信号強度のサンプル群と、ステップＳ２２で受信した応答信号に含まれる受信信号強度のベクトルとの統計距離を算出する。そして、車載制御部１１は、応答信号に含まれる受信信号強度と、車外にある携帯機２が検出する受信信号強度のサンプル群との統計距離が、車内にある携帯機２が検出する受信信号強度のサンプル群との統計距離に比べて短い場合、携帯機２は車外にあると判定する。車載制御部１１は、応答信号に含まれる受信信号強度と、車内にある携帯機２が検出する受信信号強度のサンプル群との統計距離が、車外にある携帯機２が検出する受信信号強度のサンプル群との統計距離に比べて短い場合、携帯機２は車内にあると判定する。
なお、統計距離を用いて携帯機２の位置特定方法は一例であり、携帯機２が車内にあるか否かを判定するための判定式を予め車載記憶部１４に記憶させておき、受信信号強度が判定式を満たすか否かを確認することによって、携帯機２が車内にあるか否かを判定しても良い。
【００４９】
ステップＳ１８において、ノイズレベルが大きいと判定した場合（ステップＳ１８：ＮＯ）、車載制御部１１は、受信成否判定用の第２信号を、車載送信部１３にて送信する（ステップＳ２４）。例えば、車載制御部１１は、車載送信部１３にて第１及び第２ＬＦ送信アンテナ３１、３２から第２信号を送信させる。第２信号は、所定の情報にて変調された搬送波の信号である。第２信号の強度は、第１及び第２ＬＦ送信アンテナ３１、３２から送信される第２信号を携帯機２が受信し、復調可能な通信範囲が車内空間に対応するように設定されている。車載記憶部１４は、エンジン始動時における携帯機２の位置特定に要する第２信号の強度を予め記憶しており、車載制御部１１は、車載記憶部１４が記憶する強度を参照し、信号強度変更部１３ａにて第２信号の強度を調整する。
【００５０】
携帯側制御部２１は、車載機１から送信された第２信号を、携帯側受信部２２にて受信し、復調する（ステップＳ２５）。そして、携帯側制御部２１は、車載受信部１２にて、第２信号の受信の成否、即ち復調の成否を判定する（ステップＳ２６）。次いで、携帯側制御部２１は、第２信号の受信の成否を示した応答信号を、携帯側送信部２３にて送信する（ステップＳ２７）。例えば、携帯側制御部２１は、第２信号の復調に成功した場合、第２信号を受信したことを示す応答信号を携帯側送信部２３に送信させる。第２信号の復調に失敗した場合、携帯側送信部２３は応答信号を送信しない。なお、携帯側制御部２１は、復調に失敗したことを示す応答信号を、携帯側送信部２３に送信させても良い。
【００５１】
車載制御部１１は、携帯機２から送信された応答信号を、車載制御部１１にて受信する（ステップＳ２８）。そして、車載制御部１１は、携帯機２における第２信号の受信の成否に基づいて、携帯機２の位置を特定する（ステップＳ２９）。具体的には、車載制御部１１は、第１及び第２ＬＦ送信アンテナ３１、３２から送信された第２信号の少なくとも一方の受信に成功している場合、携帯機２は車内にあると判定する。車載制御部１１は、第１及び第２ＬＦ送信アンテナ３１、３２から送信される第２信号の双方の受信に失敗している場合、携帯機２は車外にあると判定する。
より具体的には、車載制御部１１は、携帯機２から送信された応答信号を受信した場合、携帯機２が車内にあると判定し、応答信号を受信しない場合、携帯機２が車外にあると判定する。
【００５２】
ステップＳ２３又はステップＳ２９の処理を終えた車載制御部１１は、ステップＳ２３又はステップＳ２９の位置特定結果に基づいて、携帯機２が車内にあるか否かを判定する（ステップＳ３０）。携帯機２が車内に無いと判定した場合（ステップＳ３０：ＮＯ）、車載制御部１１は処理を終える。携帯機２が車内にあると判定した場合（ステップＳ３０：ＹＥＳ）、車載制御部１１は、エンジンＥＣＵ８へエンジン始動信号を送信することによって、エンジンを始動させ（ステップＳ３１）、処理を終える。
【００５３】
以上の処理を実行する車載機１及び携帯機２の動作を説明する。まず、ノイズレベルが小さい場合の動作を説明する。
図６は、エンジンスタートスイッチ操作時において、受信信号強度を測定させるための第１信号の送信タイミング及びノイズレベル検出期間を示すタイミングチャート、図７は、エンジンスタートスイッチ操作時において、受信信号強度を測定させるための第１信号を示す概念図である。図６中、横軸は時間を示す。図６最上部のタイミングチャートは、エンジンスタートスイッチ５が操作されたタイミングを示しており、粗な左斜め上がりハッチングが付されたブロックは施解錠信号が車載機１に入力されたタイミングを示している。車載機１に施解錠信号が入力されると、車載機１は、携帯機２の位置特定に係る処理を開始する。
【００５４】
図６中段部分の５つのタイミングチャートは、第１乃至第５ＬＦ送信アンテナ３１、３２、３３、３４、３５から送信される信号の送信タイミングを示している。密な左斜め上がりのハッチングが付されたブロックは、起動信号等の送信タイミングを示している。また、破線で囲まれた時間帯は、車載機１から信号が送信されない所定期間を示している。
施解錠信号が入力されると、携帯機２の起動信号、認証処理に必要な信号等が第１ＬＦ送信アンテナ３１から送信される。その後、ＬＦ送信アンテナ３から信号が所定期間送信されない状態になる。
【００５５】
図６最下部のタイミングチャートは、携帯機２から送信される信号の送信タイミングを示しており、クロス状のハッチングが付されたブロックは、ノイズレベルの検出結果を示している。
携帯機２は、所定期間において、ノイズレベルを検出し、ノイズレベルの検出結果を含む検出結果信号を車載機１へ送信する。
【００５６】
ノイズレベルが小さい場合、車載機１は、図７に示すように、第１乃至第５ＬＦ送信アンテナ３１、３２、３３、３４、３５から第１信号を携帯機２へ送信する。図６中、白抜きのブロックは、第１乃至第５ＬＦ送信アンテナ３１、３２、３３、３４、３５から送信される第１信号の送信タイミングを示している。
【００５７】
図６中、黒塗りのブロックは、携帯機２の位置検出に必要な情報を含む応答信号の送信タイミングを示している。携帯機２は、各ＬＦ送信アンテナ３から送信された第１信号の受信信号強度を測定し、測定して得た受信信号強度を含む応答信号を車載機１へ送信する。
【００５８】
このようにして、ノイズレベルが小さい場合、車載機１は、各ＬＦ送信アンテナ３から第１信号を送信し、携帯機２から送信された応答信号を受信し、受信して得た応答信号に含まれる受信信号強度に基づいて、携帯機２の位置を高精度に特定することができる。
【００５９】
次に、ノイズレベルが大きい場合の動作を説明する。
図８は、エンジンスタートスイッチ操作時において、受信の成否を判定させるための第２信号の送信タイミング及びノイズレベル検出期間を示すタイミングチャート、図９は、エンジンスタートスイッチ操作時において、受信の成否を判定させるための第２信号を示す概念図である。
【００６０】
車載機１が検出結果信号を受信するまでの処理の流れは、ノイズレベルの大小に拘わらず、同じである。検出結果信号に基づく判定の結果、ノイズレベルが大きいと判定された場合、車載機１は、図９に示すように、第１及び第２ＬＦ送信アンテナ３１、３２から第２信号を携帯機２へ送信する。第２信号の通信範囲は、車内空間に略一致している。
図８中、右斜め上がりのハッチングは、第１及び第２ＬＦ送信アンテナ３１、３２から送信される第２信号の送信タイミングを示している。携帯機２は、第１及び第２ＬＦ送信アンテナ３１、３２から送信された第２信号の受信の成否を判定し、その判定結果を含む応答信号を車載機１へ送信する。なお、図８に示す例では、第２信号を第１及び第２ＬＦ送信アンテナ３１、３２から同時的に送信しているが、第１及び第２ＬＦ送信アンテナ３１、３２から第２信号を順次送信するように構成しても良い。
【００６１】
このようにして、ノイズレベルが大きい場合、車載機１は、第１及び第２ＬＦ送信アンテナ３１、３２から第２信号を送信し、携帯機２から送信された応答信号を受信し、第２信号の受信の成否に基づいて、携帯機２の位置を特定することができる。第２信号の受信の成否に基づく携帯機２の位置特定処理は、受信信号強度を利用した位置特定処理に比べて、耐ノイズ性が高いため、ノイズ環境においても携帯機２の位置を精度良く特定することができる。
【００６２】
＜ドア施解錠＞
次に、ドアスイッチ６が操作されたときの動作を説明する。車載機１及び携帯機２の処理手順は、図５及び図６に示す処理手順と同様であり、処理開始のトリガ、第２信号を送信するＬＦ送信アンテナ３の位置、ステップＳ３０及びステップＳ３１の処理手順が異なる。具体的には、ドアの施解錠に係る処理は、ドアスイッチ６の操作をトリガとして開始される。第２信号を送信するアンテナは、第３乃至第５ＬＦ送信アンテナ３３、３４、３５である。また、車載機１は、携帯機２が車外にある場合、ドアの施解錠を行う。
【００６３】
図１０は、ドアスイッチ操作時において、受信信号強度を測定させるための第１信号を示す概念図である。ノイズレベルが小さい場合、車載機１及び携帯機２の間で送受信される信号は、エンジン始動時と同様であり、車載機１は、図１０に示すように、第１乃至第５ＬＦ送信アンテナ３１、３２、３３、３４、３５から第１信号を携帯機２へ送信する。携帯機２は、各ＬＦ送信アンテナ３から送信された第１信号の受信信号強度を測定し、測定して得た受信信号強度を含む応答信号を車載機１へ送信する。ノイズレベルが小さい場合、車載機１は、各ＬＦ送信アンテナ３から送信された第１信号を送信し、携帯機２から送信された応答信号を受信し、受信して得た応答信号に含まれる受信信号強度に基づいて、携帯機２の位置を高精度に特定することができる。そして、車載機１は、携帯機２が車外にある場合、施解錠信号をドアＥＣＵ７へ出力することによって、ドアを施解錠する。
【００６４】
次に、ノイズレベルが大きい場合の動作を説明する。
図１１は、ドアスイッチ操作時において、受信の成否を判定させるための第２信号の送信タイミング及びノイズレベル検出期間を示すタイミングチャート、図１２は、ドアスイッチ操作時において、受信の成否を判定させるための第２信号を示す概念図である。
【００６５】
車載機１が検出結果信号を受信するまでの処理の流れは、ノイズレベルの大小に拘わらず、同じである。検出結果信号に基づく判定の結果、ノイズレベルが大きいと判定された場合、車載機１は、図１２に示すように、第３乃至第５ＬＦ送信アンテナ３３、３４、３５から第２信号を携帯機２へ送信する。第２信号の通信範囲は、車両Ｃの運転席ドア周囲、助手席ドア周囲及びバックドア周囲に略一致している。携帯機２は、第３乃至第５ＬＦ送信アンテナ３３、３４、３５から送信された第２信号の受信の成否を判定し、その判定結果を含む応答信号を車載機１へ送信する。
【００６６】
このようにして、ノイズレベルが大きい場合、車載機１は、第３乃至第５ＬＦ送信アンテナ３３、３４、３５から第２信号を送信し、携帯機２から送信された応答信号を受信し、第２信号の受信の成否に基づいて、携帯機２の位置を特定することができる。第２信号の受信の成否に基づく携帯機２の位置特定処理は、受信信号強度を利用した位置特定処理に比べて、耐ノイズ性が高いため、ノイズ環境においても携帯機２の位置を精度良く特定することができる。そして、車載機１は、携帯機２が車外にある場合、ドアを施解錠する。
【００６７】
このように構成された車両用通信システムによれば、ノイズ環境にあっても携帯機２の位置特定精度の低下を抑えることができ、携帯機２の位置を高精度に特定することができる。
【００６８】
また、車載機１は、ノイズレベルの大小に応じて、第１信号及び第２信号を選択的に送信する構成であるため、不要な信号を送受信すること無く、車載機１は携帯機２の位置を速やかに特定することができる。
【００６９】
更に、不要な信号を送受信しないため、車載機１及び携帯機２の無駄な電力消費を抑えることができる。
【００７０】
更にまた、携帯機２は、車載機１から信号が送信されないタイミングである起動信号受信時にノイズレベルを検出する構成であるため、ノイズレベルの検出タイミングを誤るおそれが無く、起動後、速やかにノイズレベルを検出し、車載機１に通知することができる。
【００７１】
なお、実施形態では、ノイズレベルに応じて、受信信号強度を基づく携帯機２の位置特定方法と、受信の成否に基づく携帯機２の位置特定方法とを選択的に用いているが、ノイズレベルを３段階に区分けし、ノイズレベルが高い場合、携帯機２の位置特定を行わないように構成しても良い。つまり、車載機１は、ノイズレベルが低い場合は、第１信号の受信信号強度を用いて携帯機２の位置特定を行い、ノイズレベルが中程度の場合、第２信号の受信の成否に基づいて携帯機２の位置特定を行い、ノイズレベルが高い場合、携帯機２の位置特定を行わないように構成しても良い。
【００７２】
また、車載機１は、ノイズレベルに応じて、位置特定用の信号である第１信号及び第２信号のいずれか一方を送信する構成を説明したが、車載機１から第１信号及び第２信号を順次送信するように構成しても良い。この場合、携帯機２は、第１信号の受信信号強度を測定し、第２信号の受信の成否を判定する。携帯機２は、受信信号強度及び受信の成否の双方を情報として含む応答信号を車載機１へ送信しても良いし、ノイズレベルに応じて、いずれか一方の情報を含む応答信号を車載機１へ送信しても良い。
【００７３】
更に、ノイズレベルの検出及び検出結果信号の送信タイミングは一例であり、携帯機２の位置特定を行う前に、ノイズレベルに係る情報を車載機１が取得できる構成であれば、そのタイミングは特に限定されるものでは無い。
【００７４】
今回開示された実施形態はすべての点で例示であって、制限的なものではないと考えられるべきである。本発明の範囲は、上記した意味ではなく、特許請求の範囲によって示され、特許請求の範囲と均等の意味及び範囲内でのすべての変更が含まれることが意図される。
【符号の説明】
【００７５】
１  車載機
２  携帯機
３  ＬＦ送信アンテナ
４  ＲＦ受信アンテナ
５  エンジンスタートスイッチ
６  ドアスイッチ
７  ドアＥＣＵ
８  エンジンＥＣＵ
１１  車載制御部
１２  車載受信部
１３  車載送信部
１３ａ  信号強度変更部
１４  車載記憶部
１５  出力部
２１  携帯側制御部
２２  携帯側受信部
２２ａ  ＬＦ受信アンテナ
２３  携帯側送信部
２３ａ  ＲＦ送信アンテナ
２４  携帯側記憶部
２５  受信信号強度測定部
２６  ノイズレベル検出部
３１  第１ＬＦ送信アンテナ
３２  第２ＬＦ送信アンテナ
３３  第３ＬＦ送信アンテナ
３４  第４ＬＦ送信アンテナ
３５  第５ＬＦ送信アンテナ
Ｃ  車両
【図１】
2017135560.tif 000003
【図２】
2017135560.tif 000004
【図３】
2017135560.tif 000005
【図４】
2017135560.tif 000006
【図５】
2017135560.tif 000007
【図６】
2017135560.tif 000008
【図７】
2017135560.tif 000009
【図８】
2017135560.tif 000010
【図９】
2017135560.tif 000011
【図１０】
2017135560.tif 000012
【図１１】
2017135560.tif 000013
【図１２】
2017135560.tif 000014